(57)【特許請求の範囲】
【請求項１】
交流が供給される第１及び第２電源供給線(ACL1,ACL2)と、
伝送線(COML)と、
前記伝送線と前記第１電源供給線との導通／非導通を制御する第１選択部(MR10)を有する室内機(10)と、
動作電圧を受けて動作する室外機制御部(21)と、
前記室外機制御部の制御によって導通し、当該制御がなければ非導通となる第２選択部(MRM10;MRM20)と、
第２電源供給線と接続され、前記第２選択部を介して前記第１電源供給線にも接続される内部負荷(23；24,25)と、
前記第２選択部を介して前記第１電源供給線に接続される第１充電経路(D22a，D22c)と、前記伝送線に接続される第２充電経路(R1,D1；D2)と、前記第１充電経路及び前記第２充電経路と接続されて、前記第２電源供給線を流れる電流によって充電されるコンデンサ(C22;C22a,C22b)とを含み、当該コンデンサの両端電圧を前記動作電圧として出力する室外制御電力供給部(22)と
を有する室外機(20)と
を備える、空気調和機(1)。
【請求項２】
前記室外機(20)は、
空気調和に関する室外機駆動機構(27)と、
前記コンデンサ(C22a,C22b)の両端電圧が入力されて、前記室外機駆動機構へと駆動電流を供給する室外機駆動電力供給部(23)
を更に備える、請求項１に記載の空気調和機。
【請求項３】
前記第１充電経路（D22a，D22c）及び前記第２電源供給線（ACL2）は、前記コンデンサ(C22;C22a,C22b)を充電する倍電圧整流回路を構成する、請求項１又は２に記載の空気調和機。
【請求項４】
前記内部負荷(24,25)は、前記伝送線(COML)を介して前記コンデンサ(C22;C22a,C22b)の低電位側端の電位以上の電位を信号として前記室内機(10)へ伝達する通信部(25)を有しており、
前記第２充電経路(R1,D1;D2)は、アノードが前記コンデンサの前記低電位側端と、カソードが前記伝送線と接続された整流素子（D1）を有する、請求項１乃至３のいずれか一つに記載の空気調和機。
【請求項５】
前記内部負荷(24,25)は、前記伝送線(COML)を介して前記コンデンサ(C22;C22a,C22b)の高電位側端の電位以下の電位を信号として前記室内機(10)へ伝達する通信部(25)を有し、
前記第２充電経路(R1,D1;D2)は、カソードが前記コンデンサの高電位側端と、アノードが前記伝送線と接続された整流素子（D2）を有する、請求項１乃至３のいずれか一つに記載の空気調和機。
【請求項６】
前記通信部(25)は、前記伝送線(COML)を介して、前記コンデンサ(C22;C22a,C22b)の低電位側の電位以上且つ前記コンデンサの高電位側の電位以下の電位を信号として前記室内機(10)へ伝達し、
前記第２充電経路(R1,D1;D2)は、アノードが前記コンデンサの低電位側と、カソードが前記伝送線と接続された整流素子（D1）を更に有する、請求項５に記載の空気調和機。
【発明の詳細な説明】
【技術分野】
【０００１】
この発明は空気調和機に関し、特に室外機側に電源がある室外受電機であっても、待機電源を低減する技術に関する。
【背景技術】
【０００２】
特許文献１には、室内機と、室外機と、室内機及び室外機に電源を供給する電源線と、室内機及び室外機の通信用の伝送線とを有する空気調和機が開示されている。この空気調和機において、動作を停止しているときに（待機状態のときに）室外機の待機電源を除き、動作を開始する起動時において室内機から室外機へと電源を供給して室外機を起動している。
【０００３】
具体的には、室外機は、室外機制御部と、当該室外機制御部と伝送線とを接続する第１接続関係及び当該室外機制御部と電源線とを接続する第２接続関係の何れか一方を選択する第１スイッチとを有している。室内機は伝送線と電源線とを接続する第２スイッチを有している。
【０００４】
待機状態において室外機では、第１スイッチは第１接続関係を選択している。よって、待機状態では電源線と室外機制御部の接続は遮断されている。
【０００５】
そして、起動時において室内機が自身の第２スイッチを制御して電源線と伝送線とを接続する。よって、電源線を介して室内機へと供給された電源が第２スイッチ、伝送線を介して室外機へと伝達する。室外機では伝送線を介して室外機制御部へと当該電源が供給されて室外機制御部を起動することができる。
【０００６】
なお、関連する技術として特許文献２〜４が開示されている。
【０００７】
【特許文献１】特開２００５−２５７２３８号公報
【特許文献２】特開２００５−２５７２３９号公報
【特許文献３】特開２００６−１５３３４６号公報
【特許文献４】特許第３０１９８４４号
【発明の開示】
【発明が解決しようとする課題】
【０００８】
しかしながら、特許文献１に記載の空気調和機においては、第１スイッチを用いているので、スイッチ損失が生じるとともに、回路規模や製造コストが増大していた。
【０００９】
そこで、本発明は、回路規模や製造コストを低減する空気調和機を提供することを目的とする。
【課題を解決するための手段】
【００１０】
本発明にかかる空気調和機の第１の態様は、交流が供給される第１及び第２電源供給線(ACL1,ACL2)と、伝送線(COML)と、前記伝送線と前記第１電源供給線との導通／非導通を制御する第１選択部(MR10)を有する室内機(10)と、動作電圧を受けて動作する室外機制御部(21)と、前記室外機制御部の制御によって導通し、当該制御がなければ非導通となる第２選択部(MRM10;MRM20)と、第２電源供給線と接続され、前記第２選択部を介して前記第１電源供給線にも接続される内部負荷(23；24,25)と、前記第２選択部を介して前記第１電源供給線に接続される第１充電経路(D22a，D22c)と、前記伝送線に接続される第２充電経路(R1,D1；D2)と、前記第１充電経路及び前記第２充電経路と接続されて、前記第２電源供給線を流れる電流によって充電されるコンデンサ(C22;C22a,C22b)とを含み、当該コンデンサの両端電圧を前記動作電圧として出力する室外制御電力供給部(22)とを有する室外機(20)とを備える。
【００１１】
本発明にかかる空気調和機の第２の態様は、第１の態様にかかる空気調和機であって、空気調和機前記室外機(20)は、空気調和に関する室外機駆動機構(27)と、前記コンデンサ(C22a,C22b)の両端電圧が入力されて、前記室外機駆動機構へと駆動電流を供給する室外機駆動電力供給部(23)を更に備える。
【００１２】
本発明にかかる空気調和機の第３の態様は、第１または第２の態様にかかる空気調和機であって、前記第２充電経路（D22a，D22c）及び前記第２電源供給線（ACL2）は、前記コンデンサ(C22;C22a,C22b)を充電する倍電圧整流回路を構成する。
【００１３】
本発明にかかる空気調和機の第４の態様は、第１乃至第３の何れか一つにかかる空気調和機であって、前記内部負荷(24,25)は、前記伝送線(COML)を介して前記コンデンサ(C22;C22a,C22b)の低電位側端の電位以上の電位を信号として前記室内機(10)へ伝達する通信部(25)を有しており、前記第２充電経路(R1,D1;D2)は、アノードが前記コンデンサの前記低電位側端と、カソードが前記伝送線と接続された整流素子（D1）を有する。
【００１４】
本発明にかかる空気調和機の第５の態様は、第１乃至第３の何れか一つにかかる空気調和機であって、前記内部負荷(24,25)は、前記伝送線(COML)を介して前記コンデンサ(C22;C22a,C22b)の高電位側端の電位以下の電位を信号として前記室内機(10)へ伝達する通信部(25)を有し、前記第２充電経路(R1,D1;D2)は、カソードが前記コンデンサの高電位側端と、アノードが前記伝送線と接続された整流素子（D2）を有する。
【００１５】
本発明にかかる空気調和機の第６の態様は、第５の態様にかかる空気調和機であって、前記通信部(25)は、前記伝送線(COML)を介して、前記コンデンサ(C22;C22a,C22b)の低電位側の電位以上且つ前記コンデンサの高電位側の電位以下の電位を信号として前記室内機(10)へ伝達し、前記第２充電経路(R1,D1;D2)は、アノードが前記コンデンサの低電位側と、カソードが前記伝送線と接続された整流素子（D1）を更に有する。
【発明の効果】
【００１６】
本発明にかかる空気調和機の第１の態様によれば、第１選択部が導通することにより、コンデンサは第１電源供給線と伝送線と、第２充電経路と、第２電源供給線とを流れる電流によって充電される。かかる充電により、室外機制御部が給電され、その動作が可能となる。そして室外機制御部が動作可能となることにより、第２選択部を導通させることができる。これにより内部負荷に電源が供給される。しかも、コンデンサは第１充電経路によって充電されるので、第２充電経路をカットすることができる。具体的には、第１選択部を非導通にできるので、一旦、第１充電経路による充電が生じた後は、伝送線に充電電流を流す必要が無く、信号伝達のために伝送線を用いることができる。
【００１７】
また、第１電源供給線と接続する第１充電経路と、伝送線と接続する第２充電経路との切替えが可能なスイッチを設ける態様に比べて、このスイッチを不要とすることができ、ひいては回路規模や製造コストを低減することができる。
【００１８】
本発明にかかる空気調和機の第２の態様によれば、同じコンデンサを用いて室外機制御部及び室外機駆動電力供給部へと電力を供給できる。よって、回路規模や製造コストを低減できる。
【００１９】
本発明にかかる空気調和機の第３の態様によれば、室外機制御電力供給部及び室外機駆動電力供給部への電圧を高くできる。
【００２０】
本発明にかかる空気調和機の第４の態様によれば、第１選択部が非導通であり、室外機制御部の制御により通第２選択部が導通しているときに、第１充電経路を介してコンデンサから伝送線へと電流が流れることを防ぐ。
【００２１】
本発明にかかる空気調和機の第５の態様によれば、第１選択部が非導通且つ第２選択部が導通しているときに、第１充電経路を介してコンデンサから伝送線へと電流が流れることを防ぐ。
【００２２】
本発明にかかる空気調和機の第６の態様によれば、第２充電経路及び第２電源供給線を介して全波整流してコンデンサを充電でき、ひいてはコンデンサの充電に要する時間を短縮できる。更に第２および第３の態様にかかる場合は、室外機制御部及び室外機駆動電力供給部への突電流を低減することができる。
【発明を実施するための最良の形態】
【００２３】
第１の実施の形態．
本発明に係る第１の実施の形態の空気調和機の一例の概念的な構成図を図１に示す。
【００２４】
本空気調和機１は、交流が供給される電源供給線ＡＣＬ１，ＡＣＬ２と、伝送線ＣＯＭＬと、室内機１０と、室外機２０とを備えている。室内機１０と室外機２０はそれぞれ電源供給線ＡＣＬ１，ＡＣＬ２、伝送線ＣＯＭＬによって相互に接続されている。
【００２５】
室内機１０は、室内機制御部１１と、室内機制御電力供給部１２と、室内機通信部１５と、室内機選択部ＭＲ１０（例えばリレー、以下リレーＭＲ１０と呼ぶ）とを備えている。
【００２６】
室内機制御電力供給部１２は電源供給線ＡＣＬ１，ＡＣＬ２の間に接続されており、当該電源供給線ＡＣＬ１，ＡＣＬ２を介して入力された交流電圧を直流電圧に変換して室内機制御部１１へと供給する。
【００２７】
リレーＭＲ１０は電源供給線ＡＣＬ１と伝送線ＣＯＭＬとの間に接続されて、伝送線ＣＯＭＬと電源供給線ＡＣＬ１との導通／非導通を選択する。
【００２８】
室内機制御部１１はリレーＭＲ１０を制御する。また、図示せぬリモコン等によりユーザから入力された運転指令を認識することができる。運転指令とは待機中の空気調和機１を起動して、運転を開始させるための指令である。
【００２９】
室内機通信部１５は電源供給線ＡＣＬ２と伝送線ＣＯＭＬとの間に接続されて、伝送線ＣＯＭＬを介して室外機２０と相互に信号を送受信する。室内機通信部１５の内部構成については後に詳述する。
【００３０】
室外機２０は、室外機制御部２１と、室外機制御電力供給部２２と、室外機駆動電力供給部２３と、伝送電力供給部２４と、室外機通信部２５と、主電力供給部２６と、室外機駆動部２７と、室外機遮断部２８と、雑音低減部ＬＣ１と、リレーＭＲＭ１１とを備えている。
【００３１】
主電力供給部２６は、電源供給線ＡＣＬ１，ＡＣＬ２と接続されており、当該電源供給線ＡＣＬ１，ＡＣＬ２の間に交流を供給する。なお、主電力供給部２６は室外機２０の代わりに室内機１０が備えていてもよい。
【００３２】
雑音低減部ＬＣ１は電源供給線ＡＣＬ１及びＡＣＬ２の両方に介在して、電源供給線ＡＣＬ１，ＡＣＬ２間の交流のノイズを除去する。
【００３３】
室外機制御部２１は室外機制御電力供給部２２から動作電圧を受けて動作する。
【００３４】
室外機遮断部２８は、選択部ＭＲＭ１０（例えばリレー；以下リレーＭＲＭ１０と呼ぶ）と、選択部ＭＲＭ２０（例えばリレー；以下リレーＭＲＭ２０と呼ぶ）と、抵抗Ｒ２とを備えている。リレーＭＲＭ１０は一端が電源供給線ＡＣＬ１と接続されている。リレーＭＲＭ２０と抵抗Ｒ２は相互に直列に接続されており、当該リレーＭＲＭ２０と抵抗Ｒ２の一組はリレーＭＲＭ１０と並列に接続されている。リレーＭＲＭ１０，ＭＲＭ２０は室外機制御部２１の制御によって導通し、当該制御がなければ非導通となる。
【００３５】
室外機制御電力供給部２２は、ＤＣ−ＤＣコンバータ２２０と、ダイオードＤ１，Ｄ２２ａ〜Ｄ２２ｄと、コンデンサＣ２２と、抵抗Ｒ１とを備えている。
【００３６】
ダイオードＤ２２ａ〜Ｄ２２ｄは全波整流回路を構成している。より具体的には、ダイオードＤ２２ａ，Ｄ２２ｂのカソードがコンデンサＣ２２の一端（以下、高電位側端と呼ぶ）に接続され、ダイオードＤ２２ｃ，Ｄ２２ｄのアノードがコンデンサＣ２２の他端（以下、低電位側端と呼ぶ）に接続されている。ダイオードＤ２２ｂのアノード及びダイオードＤ２２ｄのカソードは共通して電源供給線ＡＣＬ２に接続されている。ダイオードＤ２２ａのアノード及びダイオードＤ２２ｃのカソードは共通して、室外機遮断部２８を介して電源供給線ＡＣＬ１と接続されている。なお、ダイオードＤ２２ａ，Ｄ２２ｃからなる経路は、室外機遮断部２８を介して電源供給線ＡＣＬ１と接続され、コンデンサＣ２２を充電する電流が流れる第１充電経路と把握できる。
【００３７】
ダイオードＤ１はアノードがコンデンサＣ１の低電位側端と、カソードが抵抗Ｒ１を介して伝送線ＣＯＭＬと接続されている。なお、ダイオードＤ１、抵抗Ｒ１からなる経路は、伝送線ＣＯＭＬに接続され、コンデンサＣ２２を充電する電流が流れる第２充電経路と把握することができる。
【００３８】
ＤＣ−ＤＣコンバータ２２０はコンデンサＣ２２の両端と接続され、コンデンサＣ２２の両端電圧を所望の電圧に変換して当該電圧を動作電圧として室外機制御部２１へと出力する。
【００３９】
リレーＭＲＭ１１は一端が電源供給線ＡＣＬ２に接続されている。リレーＭＲＭ１１は室外機制御部２１によって制御される。なお、リレーＭＲＭ１１は、配線の接続ミスによる感電防止用として設けられているが、配線の接続ミスが生じ得ない場合はなくても構わない。
【００４０】
室外機駆動電力供給部２３は、室外機遮断部２８を介して電源供給線ＡＣＬ１と、リレーＭＲＭ１１を介して電源供給線ＡＣＬ２とそれぞれ接続されており、当該電源供給線ＡＣＬ１，ＡＣＬ２の間の交流が入力されて室外機駆動部２７へと駆動電圧（例えば直流電圧）を供給する。なお、室外機駆動電力供給部２３（あるいは更に室外機駆動部２７）は、電源供給線ＡＣＬ２と接続され、室外機遮断部２８を介して電源供給線ＡＣＬ１にも接続される内部負荷と把握することができる。
【００４１】
室外機駆動部２７は、例えば圧縮機やファン等の空気調和に関する駆動機構であり、室外機駆動電力供給部２３からの駆動電流を受けて動作する。
【００４２】
伝送電力供給部２４は、抵抗Ｒ２４ａ，Ｒ２４ｂと、ダイオードＤ２４と、ツェナダイオードＺＤ２４と、コンデンサＣ２４とを備えている。
【００４３】
抵抗Ｒ２４ａは一端が室外機遮断部２８を介して電源供給線ＡＣＬ１と接続されている。ダイオードＤ２４はアノードが抵抗Ｒ２４ａの他端と接続されている。ツェナダイオードＺＤ２４は、カソードがダイオードＤ２４のカソードと、アノードが雑音低減部ＬＣ１を介さずに電源供給線ＡＣＬ２と接続されている。抵抗Ｒ２４ｂ及びコンデンサＣ２４はそれぞれツェナダイオードＺＤ２４と並列に接続されている。
【００４４】
室外機遮断部２８を介して電源供給線ＡＣＬ１から伝送電力供給部２４に入力された交流がダイオードＤ２４によって整流され、この整流された電流がコンデンサＣ２４を充電する。この電流に起因するコンデンサＣ２２の両端電圧はツェナダイオードＺＤ２４の機能により一定に維持される。当該両端電圧が室外機通信部２５へと伝達される。
【００４５】
室外機通信部２５は、ツェナダイオードＺＤ２４及びダイオードＤ２４の間の点Ｐと、伝送線ＣＯＭＬとの間に接続されており、室内機１０（より具体的には室内機通信部１５）と相互に信号を送受信する。なお、伝送電力供給部２４（あるいは更に室外機通信部２５）は、電源供給線ＡＣＬ２と接続され、室外機遮断部２８を介して電源供給線ＡＣＬ１にも接続される内部負荷と把握することができる。
【００４６】
室内機通信部１５及び室外機通信部２５の具体的な内部構成の一例をそれぞれ図２及び図３に示す。室内機通信部１５は、ダイオードＤ１５と、抵抗Ｒ１５ａ〜Ｒ１５ｃと、フォトダイオードＰＤ１５と、フォトトランジスタＰＴ１５と、ツェナダイオードＺＤ１５とを備えている。
【００４７】
ダイオードＤ１５、抵抗Ｒ１５ａ，Ｒ１５ｂ、ツェナダイオードＺＤ１５は、伝送線ＣＯＭＬと電源供給線ＡＣＬ２の間で直列に接続されている。ダイオードＤ１５はアノードが伝送線ＣＯＭＬ側に、カソードが電源供給線ＡＣＬ２側にそれぞれ接続されている。ツェナダイオードＺＤ１５はアノードが電源供給線ＡＣＬ２側に、カソードが伝送線ＣＯＭＬ側にそれぞれ接続されている。
【００４８】
フォトダイオードＰＤ１５は抵抗Ｒ１５ｂと並列に接続されており、アノードが伝送線ＣＯＭＬ側に、カソードが電源供給線ＡＣＬ２側にそれぞれ接続されている。フォトトランジスタＰＴ１５及びツェナダイオードＺＤ１５は抵抗１５ｃとそれぞれ並列に接続されている。ツェナダイオードＺＤ１５は、フォトトランジスタＰＴ１５に所定の電圧以上の電圧が印加されることを防ぐ。
【００４９】
フォトトランジスタＰＴ１５は、例えば室内機制御部１１が有する発光素子（図示せず）からの光信号を受けて導通し、フォトダイオードＰＤ１５は自身に電流が流れるときに、例えば室内機制御部１１が有する受光素子（図示せず）に光信号を与える。
【００５０】
室外機通信部２５は、ダイオードＤ２５と、抵抗Ｒ２５ａ〜Ｒ２５ｃと、フォトダイオードＰＤ２５と、フォトトランジスタＰＴ２５と、ツェナダイオードＺＤ２５とを備えている。ツェナダイオードＺＤ２５は、フォトトランジスタＰＴ２５に所定の電圧以上の電圧が印加されることを防ぐ。
【００５１】
ダイオードＤ２５、抵抗Ｒ２５ａ，Ｒ２５ｂ、ツェナダイオードＺＤ２５は、点Ｐと伝送線ＣＯＭＬとの間で直列に接続されている。ダイオードＤ２５はアノードが点Ｐ側に、カソードが伝送線ＣＯＭＬ側にそれぞれ接続されている。
【００５２】
フォトダイオードＰＤ２５は抵抗Ｒ２５ｂと並列に接続されており、アノードが点Ｐ側に、カソードが伝送線ＣＯＭＬ側にそれぞれ接続されている。フォトトランジスタＰＴ２５及びツェナダイオードＺＤ２５は抵抗Ｒ２５ｃとそれぞれ並列に接続されている。
【００５３】
フォトトランジスタＰＴ２５は、例えば室外機制御部２１が有する発光素子（図示せず）からの光信号を受けて導通し、フォトダイオードＰＤ２５は自身に電流が流れるときに例えば室外機制御部２１が有する受光素子（図示せず）に光信号を与える。
【００５４】
通常運転において例えば室内機制御部１１及び室外機制御部２１は、フォトトランジスタＰＴ１５，ＰＴ２５へ光信号を送っていない。よって、フォトトランジスタＰＴ１５，ＰＴ２５はそれぞれ非導通しており、点Ｐから室外機通信部２５、伝送線ＣＯＭＬ、室内機通信部１５（図１も参照）へとオフ電流が流れている。
【００５５】
そして、例えば室内機１０から室外機２０へと伝送線ＣＯＭＬを介して信号を伝達する際には、例えば室内機制御部１１は光信号を与えてフォトトランジスタＰＴ１５を導通とする。また室外機制御部２１は室内機１０からの信号を確認するために光信号を与えてフォトトランジスタＰＴ２５を導通する。フォトトランジスタＰＴ１５，ＰＴ２５が導通することにより伝送線ＣＯＭＬにオン電流が流れ、フォトダイオードＰＤ２５からの光信号により、室内機１０からの信号の伝達を認識する。室外機２０から室内機１０への信号の伝達も同様にして行われる。
【００５６】
このような構成の空気調和機１において、室外機２０を起動する際の空気調和機１の動作について図４を参照して説明する。図４は運転指令、リレーＭＲ１０，ＭＲＭ１０，ＭＲＭ２０，ＭＲＭ１１、コンデンサＣ２２の両端電圧、コンデンサＣ２４の両端電圧、室外機駆動電力供給部２３が出力する直流電圧、を示している。
【００５７】
まず、待機状態においては、リレーＭＲ１０，ＭＲＭ１０，ＭＲＭ１１，ＭＲＭ２０は非導通となっている。
【００５８】
そして、ユーザにより運転指令が図示せぬリモコン等により入力されると、室内機制御部１１が当該入力を認識して、リレーＭＲ１０を導通させる（図４中の状態１を参照）。
【００５９】
当該リレーＭＲ１０の導通により、図５に示すように、主電力供給部２６、電源供給線ＡＣＬ１、リレーＭＲ１０、伝送線ＣＯＭＬ、抵抗Ｒ１、ダイオードＤ１、コンデンサＣ２２、ダイオードＤ２２ｂ、電源供給線ＡＣＬ２、雑音低減部ＬＣ１からなる第１回路に電流が流れる。この場合、当該第１回路を流れる電流はダイオードＤ１，Ｄ２２ｂによって整流される。より具体的には、主電力供給部２６が供給する交流のうち図５中の矢印で示す方向の半周期が当該第１回路を流れる。
【００６０】
従って、コンデンサＣ２２には直流電圧が充電される。なお、抵抗Ｒ１は当該電流が流れる際の突電流を防止する。なお、コンデンサＣ２２は、伝送線ＣＯＭＬに接続される抵抗Ｒ１、ダイオードＤ１を有する第２充電経路と接続されて、電源供給線ＡＣＬ２を流れる電流によって充電される、と把握できる。
【００６１】
そして、室外機制御電力供給部２２は、充電されたコンデンサＣ２２の両端電圧をＤＣ−ＤＣコンバータ２２０によって適切な電圧値に変換し、当該電圧を動作電圧として室外機制御部２１へと供給する。
【００６２】
当該動作電圧の供給を受けた室外機制御部２１は、リレーＭＲＭ１１，ＭＲＭ２０を導通させる（図４中の状態２を参照）。当該リレーＭＲＭ１１，ＭＲＭ２０の導通により、室外機駆動電力供給部２３にも電力が供給される。より具体的には、主電力供給部２６、電源供給線ＡＣＬ１、雑音低減部ＬＣ１、リレーＭＲＭ２０、抵抗Ｒ２、室外機駆動電力供給部２３、リレーＭＲＭ１１、電源供給線ＡＣＬ２からなる回路に交流が流れる。なお、リレーＭＲＭ１０に先立ってリレーＭＲＭ２０を導通させることにより、抵抗Ｒ２を介して室外機駆動電力供給部２３へ交流を供給でき、以って突電流が流れることを防止している。
【００６３】
また、リレーＭＲＭ２０の導通によって、図６に示すように、電源供給線ＡＣＬ１、雑音低減部ＬＣ１、リレーＭＲＭ２０、抵抗Ｒ２、ダイオードＤ２２ａ〜Ｄ２２ｄ、コンデンサＣ２２、電源供給線ＡＣＬ２からなる第２回路にも電流が流れる。当該第２回路の導通によっても、コンデンサＣ２２は充電される。なお、コンデンサＣ２２は、室外機遮断部２８を介して電源供給線ＡＣＬ１に接続されるダイオードＤ２２ａ，Ｄ２２ｃを有する第１充電経路と接続されて、電源供給線ＡＣＬ２を流れる電流によって充電される、と把握できる。
【００６４】
また、リレーＭＲＭ２０の導通によって伝送電力供給部２４にも電流が流れる。より具体的には、所定の半周期において主電力供給部２６からの交流が図７中の太線で示す回路を実線矢印で示す方向に流れ、コンデンサＣ２４に直流電圧が充電される。他の半周期においては２点波線矢印で示す方向に電流が流れる。
【００６５】
このときのコンデンサＣ２４の両端電圧の変動は回路抵抗に依存するが、本第１の実施の形態においては次の理由によりわずかに上昇している（図４参照）。具体的には、他の半周期において室外機通信部２５を介して電流が流れている。室外機制御部２１は光信号を室外機通信部２５に与えないので、フォトトランジスタＰＴ２５は非導通である（図３も参照）。よって、当該他の半周期においては、コンデンサＣ２４から放電される電流が、抵抗Ｒ２５ｂ，Ｒ２５ｃ（図３も参照）を通る。
【００６６】
Ｒ１５ｃ、Ｒ２５ｃは室外機２０への電源が遮断された時に、コンデンサＣ２２の電荷を放電する為の抵抗であるが、フォトトランジスタＰＴ１５、ＰＴ２５が非導通であるときに伝送線ＣＯＭＬに流れる電流も小さく設定する必要があるので、一般に抵抗値が高い。よって、当該他の半周期において流れる放電電流は、所定の半周期においてコンデンサＣ２２に供給される充電電流に比べて小さく、全体としてコンデンサＣ２４の両端電圧はわずかに上昇する。
【００６７】
次に、室外機制御部２１はリレーＭＲＭ１０を導通させる。当該リレーＭＲＭ１０の導通により、室外機制御電力供給部２２、室外機駆動電力供給部２３へ供給される交流は抵抗Ｒ２を迂回するので、抵抗Ｒ２による不要な電圧降下を避けることができ、コンデンサＣ２２及び室外機駆動電力供給部２３に所望の直流電圧を充電できる。
【００６８】
その後、室外機制御部２１はリレーＭＲＭ２０を遮断する。そして、室内機制御部１１はリレーＭＲ１０を遮断する（図４中の状態３を参照）。
【００６９】
当該リレーＭＲ１０の遮断により、他の半周期においてコンデンサＣ２４は放電する経路を失うので、コンデンサＣ２４の両端電圧は所定の値（ツェナダイオードＺＤ２４のツェナー電圧）まで上昇する（図４中の状態３を参照）。
【００７０】
また当該リレーＭＲ１０の遮断により、伝送線ＣＯＭＬには主電力供給部２６からの交流が伝達されないので、抵抗Ｒ１、ダイオードＤ１を介した第２充電経路によるコンデンサＣ２２の充電は停止する。
【００７１】
そして、室内機制御部１１、室外機制御部２１は通常運転へと移行する。
【００７２】
なお、ツェナダイオードＺＤ２４によって点Ｐの電位は電源供給線ＡＣＬ２の電位よりも高いので、コンデンサＣ２２の低電位側端の電位は伝送線ＣＯＭＬの電位に比べて低い。これにより、ダイオードＤ１、抵抗Ｒ１を介してコンデンサＣ２２から伝送線ＣＯＭＬへと電流が流れることを防ぐことができ、通常運転における伝送線ＣＯＭＬを介した室内機１０、室外機２０間の通信を阻害しない。なお、室外機通信部２５は伝送線ＣＯＭＬを介して、コンデンサＣ２２の低電位側端の電位以上の電位を信号として室内機１０へ伝達する、と把握することができる。
【００７３】
以上のように、リレーＭＲ１０が導通することにより、コンデンサＣ２２は電源供給線ＡＣＬ１と、伝送線ＣＯＭＬと、抵抗Ｒ１、ダイオードＤ１を有する第２充電経路と、電源供給線ＡＣＬ２とを流れる電流によって充電される。かかる充電により、室外機制御部２１が給電され、その動作が可能となる。そして室外機制御部２１が動作可能となることにより、リレーＭＲＭ２０（若しくはリレーＭＲＭ１０）を導通させることができる。これにより室外機駆動電力供給部２３や伝送電力供給部２４に電源が供給される。しかも、コンデンサＣ２２は、ダイオードＤ２２ａ，Ｄ２２ｃを有する第１充電経路によっても充電されるので、抵抗Ｒ１、ダイオードＤ１を有する第２充電経路をカットすることができる。具体的には、リレーＭＲ１０を非導通にできるので、一旦、ダイオードＤ２２ａ，Ｄ２２ｃを有する第１充電経路による充電が生じた後は、伝送線ＣＯＭＬに充電電流を流す必要が無く、信号伝達のために伝送線ＣＯＭＬを用いることができる。
【００７４】
また、特許文献１（特開２００５−２５７２３８号公報）に記載の態様（背景技術の欄で述べた態様を参照）に比べて、第１スイッチを不要とすることができる。よって第１スイッチに起因する不要なスイッチ損失の発生を防止でき、また回路規模や製造コストを低減することができる。
【００７５】
なお、本第１の実施の形態においては、室外機制御電力供給部２２はダイオードＤ２２ａ〜Ｄ２２ｄ、コンデンサＣ２２からなる全波整流回路を備えているがこれに限らず、倍電圧整流回路を備えていてもよい。
【００７６】
なお、本第１の実施の形態においては、ダイオードＤ１がコンデンサＣ２２の低電位側端に接続されているがこれに限らず、ダイオードＤ１のカソードがコンデンサＣ２２の高電位側端に、アノードが抵抗Ｒ１を介して伝送線ＣＯＭＬに接続されていてもよい。この場合、通常運転において室外機通信部２５は伝送線ＣＯＭＬを介して、コンデンサＣ２２の高電位側端の電位以下の電位を信号として室内機１０へ伝達すればよい。
【００７７】
第２の実施の形態．
第２の実施の形態に係る空気調和機の一例の概念的な構成図を図８に示す。第１の実施の形態と比較して、室外機制御電力供給部２２はダイオードＤ２を更に備えている。その他の構成は第１の実施の形態と同一である。また、起動時における室内機制御部１１、室外機制御部２１の動作は第１の実施の形態と同一であるため詳細な説明は省略し、第１の実施の形態と異なる点のみについて詳述する。
【００７８】
ダイオードＤ２はアノードが抵抗Ｒ１とダイオードＤ１との間に、カソードがコンデンサＣ２２の高電位側端にそれぞれ接続されている。ダイオードＤ２は、ダイオードＤ１，Ｄ２２ｂ，Ｄ２２ｄと共に全波整流回路を構成している。
【００７９】
本第２の実施の形態に係る空気調和機１においては、室内機制御部１１がリレーＭＲ１０を導通させると、主電力供給部２６からの交流が、電源供給線ＡＣＬ１、リレーＭＲ１０、伝送線ＣＯＭＬ、抵抗Ｒ１、ダイオードＤ１，Ｄ２、コンデンサＣ２２、ダイオードＤ２２ｂ，２２ｄ、電源供給線ＡＣＬ２、雑音低減部ＬＣ１からなる回路に電流が流れる。
【００８０】
よって、ダイオードＤ１，Ｄ２，Ｄ２２ｂ，Ｄ２２ｄを介して全波整流してコンデンサＣ２２を充電できる。ひいては、起動時におけるコンデンサＣ２２の充電時間を短縮することができる。
【００８１】
第３の実施の形態．
本発明に係る第３の実施の形態の空気調和機の一例の概念的な構成図を図９に示す。第１の実施の形態と比較して構成上の相違点を説明する。
【００８２】
室外機２０はコイルＬ１を更に備えている。コイルＬ１は力率を改善するためであり、第１の実施の形態および第２の実施の形態では室外機駆動電力供給部２３に含まれる。室外機遮断部２８はリレーＭＲＭ１０を備えている。室外機制御電力供給部２２は、抵抗Ｒ１と、ダイオードＤ１，Ｄ２２ａ〜Ｄ２２ｄと、コンデンサＣ２２ａ，Ｃ２２ｂと、ＤＣ−ＤＣコンバータ２２０とを備えている。
【００８３】
コイルＬ１は、電源供給線ＡＣＬ１上であって雑音低減部ＬＣ１とダイオードＤ２２ａのアノード（ダイオードＤ２２ｃのカソード）との間に接続されている。
【００８４】
リレーＭＲＭ１０は電源供給線ＡＣＬ１上であって主電力供給部２６と雑音低減部ＬＣ１との間に接続されている。
【００８５】
コンデンサＣ２２ａ，Ｃ２２ｂは直列に接続されており、ダイオードＤ２２ａ，Ｄ２２ｃおよびＤ２２ｂ，Ｄ２２ｄの二組はコンデンサＣ２２ａ，Ｃ２２ｂの一組と並列に接続されている。コンデンサＣ２２ａ，Ｃ２２ｂの間は電源供給線ＡＣＬ２が接続されている。ダイオードＤ２２ａ，Ｄ２２ｃ、コンデンサＣ２２ａ，Ｃ２２ｂは倍電圧整流回路を構成している。ダイオードＤ２２ｂのアノードおよびＤ２２ｄのカソードはコンデンサＣ２２ａ，Ｃ２２ｂ間に接続され、各コンデンサＣ２２ａ，Ｃ２２ｂに逆電圧がかかるのを防止する。なお、ダイオードＤ２２ａ，Ｄ２２ｃからなる経路は、リレーＭＲＭ１０を介して電源供給線ＡＣＬ１と接続され、コンデンサＣ２２ａ，Ｃ２２ｂを充電する電流が流れる第１充電経路と把握することができる。
【００８６】
ダイオードＤ１のアノードは、コンデンサＣ２２ａと反対側に位置するコンデンサＣ２２ｂの一端（低電位側端）と接続されている。なお、ダイオードＤ１、抵抗Ｒ１からなる経路は、伝送線ＣＯＭＬと接続され、コンデンサＣ２２ｂを充電する電流が流れる第２充電経路と把握できる。
【００８７】
室外機駆動電力供給部２３はコンデンサＣ２２ａ，Ｃ２２ｂの一組の両端と接続されている。
【００８８】
このような構成の空気調和機１において、室外機２０を起動する際の空気調和機の動作について、第１の実施の形態との相違点を説明する。
【００８９】
まず、室内機制御部１１がリレーＭＲ１０を導通させると、主電力供給部２６、電源供給線ＡＣＬ１、リレーＭＲ１０、伝送線ＣＯＭＬ、抵抗Ｒ１、ダイオードＤ１、コンデンサＣ２２ｂ、電源供給線ＡＣＬ２、雑音低減部ＬＣ１からなる回路に電流が流れる。この回路に流れる電流はダイオードＤ１によって整流されるので、コンデンサＣ２２ｂには直流電圧が充電される。
【００９０】
充電されたコンデンサＣ２２ｂの両端電圧はコンデンサＣ２２ａを介してＤＣ−ＤＣコンバータ２２０に入力される。ＤＣ−ＤＣコンバータ２２０は入力された電圧を適切な電圧値に変換し、動作電圧として室外機制御部２１へと出力する。また、充電されたコンデンサＣ２２ｂの両端電圧はコンデンサＣ２２ａを介して室外機駆動電力供給部２３へも供給される。
【００９１】
そして、動作電圧の供給を受けた室外機制御部２１はリレーＭＲＭ１０を導通させる。当該リレーＭＲＭ１０の導通によって、主電力供給部２６、電源供給線ＡＣＬｌ、リレーＭＲＭ１０、雑音低減部ＬＣ１、コイルＬ１、ダイオードＤ２２ａ，Ｄ２２ｃ、コンデンサＣ２２ａ，Ｃ２２ｂ、電源供給線ＡＣＬ２からなる回路にも電流が流れる。よって、コンデンサＣ２２ａ，Ｃ２２ｂが充電される。
【００９２】
また、当該リレーＭＲＭ１０の導通によって、第１の実施の形態と同様に伝送電力供給部２４へも電流が供給される。
【００９３】
その後、室内機制御部１１はリレーＭＲ１０を非導通とし、室内機制御部１１、室外機制御部２１は通常運転へと移行する。
【００９４】
本第３の実施の形態に係る空気調和機１においては、室外機駆動電力供給部２３がコンデンサＣ２２ａ，Ｃ２２ｂの一組の両端に接続されている。よって、同じコンデンサＣ２２ａ，Ｃ２２ｂを用いて室外機制御部２１及び室外機駆動電力供給部２３へと電力を供給でき、回路規模や製造コストを低減できる。
【００９５】
なお、第３の実施の形態において、リレーＭＲ１０のみが導通しているときは、コンデンサＣ２２ｂにのみ充電され、コンデンサＣ２２ａには充電されない。この状態で室外機制御部２１がリレーＭＲＭ１０を導通させるので、コンデンサＣ２２ａを充電する為の大きな突入電流が流れる可能性がある。
【００９６】
そこで、本第３の実施の形態においても、図１０に示すように第２の実施の形態と同様にダイオードＤ２を設けてもよい。この場合、リレーＭＲ１０のみが導通しているときでも、ダイオードＤ１，Ｄ２を介した全波倍電圧整流によりコンデンサＣ２２ａ，Ｃ２２ｂを充電できるので、室外機制御部２１がリレーＭＲＭ１０を導通させた際の突入電流の発生を防止できる。
【００９７】
なお、本第３の実施の形態においては、室外機制御電力供給部２２はダイオードＤ２２ｂ，Ｄ２２ｄを備えているが，逆電圧がないあるいは問題がない場合は備えなくてもよい。このとき、ダイオードＤ１、Ｄ２の何れか一方を備えていてもよく、両方を備えていてもよい。
【図面の簡単な説明】
【００９８】
【図１】第１の実施の形態にかかる空気調和機の一例の概念的な構成図である。
【図２】室内機通信部の概念的な内部構成図である。
【図３】室外機通信部の概念的な内部構成図である。
【図４】第１の実施の形態にかかる空気調和機を起動する際の動作を説明するための図である。
【図５】第１の実施の形態にかかる空気調和機の一例の概念的な構成図である。
【図６】第１の実施の形態にかかる空気調和機の一例の概念的な構成図である。
【図７】第１の実施の形態にかかる空気調和機の一例の概念的な構成図である。
【図８】第２の実施の形態にかかる空気調和機の一例の概念的な構成図である。
【図９】第３の実施の形態にかかる空気調和機の一例の概念的な構成図である。
【図１０】第３の実施の形態にかかる空気調和機の一例の概念的な構成図である。
【符号の説明】
【００９９】
１  空気調和機
１０  室内機
２０  室外機
２１  室外機制御部
２２  室外機制御電力供給部
ＡＣＬ１，ＡＣＬ２  電源供給線
ＣＯＭＬ  伝送線
Ｃ２２，Ｃ２２ａ，Ｃ２２ｂ  コンデンサ
Ｄ１，Ｄ２  ダイオード
ＭＲ１０，ＭＲＭ１０，ＭＲＭ２０  リレー
【図１】
0005125262.tif 000002
【図２】
0005125262.tif 000003
【図３】
0005125262.tif 000004
【図４】
0005125262.tif 000005
【図５】
0005125262.tif 000006
【図６】
0005125262.tif 000007
【図７】
0005125262.tif 000008
【図８】
0005125262.tif 000009
【図９】
0005125262.tif 000010
【図１０】
0005125262.tif 000011